(57)【特許請求の範囲】
【請求項１】
レーザ光源と、レーザ光源からのほぼ無収差の光束を光情報記録媒体の透明基板を介して情報記録面上に集光する正の屈折力を有する対物単レンズと、前記情報記録面で反射され前記対物単レンズを通過した光束を受光する受光手段を有する光情報記録媒体の光ピックアップ装置の光情報記録媒体の記録再生用対物単レンズにおいて、
レーザ光源の波長をλ、光情報記録媒体について情報を読み出せる光スポットを波長λで得る為の対物単レンズの光情報記録媒体側の必要開口数をＮＡ１としたときに、対物単レンズを出射した開口数ＮＡ１の光束の光源側の面の有効半径をＨ１としたときに、少なくともＨ１から１．０２Ｈ１までの範囲に入射した光束は、対物単レンズを透過し、かつ対物レンズに入射する入射高Ｈ以下の光束の透明基板を介しての波面収差ＲＭＳ値の球面収差成分をＷＳＡ（Ｈ）とし、下記の条件を満足し、
ＷＳＡ（Ｈ１）＜０．０５λ
ＷＳＡ（１．０２Ｈ１）／ＷＳＡ（Ｈ１）＞１．２
かつ、前記光源側の面の有効半径Ｈ１の箇所において、光軸と垂直な平面に対して、前記有効半径Ｈ１の外側の少なくとも１．０２Ｈの間のレンズ面は、光源から遠ざかる方向に傾斜していることを特徴とする光情報記録媒体の記録再生用対物単レンズ。
【発明の詳細な説明】
【０００１】
【発明の属する技術分野】
本発明は、レーザ光などの光ビームを光情報記録媒体（以下光ディスクとも言う）に照射することにより、光情報を記録及び／又は再生する光ディスクの集光光学系、特に高密度の光ディスクの記録及び／又は再生用集光光学系、およびそのような集光光学系に用いられる対物単レンズ、および情報再生方法に関する。
【０００２】
【従来の技術】
本発明に係わる従来の技術について説明する。近年、短波長赤色半導体レーザ実用化に伴い、従来のＣＤ（コンパクトディスク）と同程度の光ディスクサイズで、より大容量化させた高密度光情報記録媒体であるＤＶＤ（デジタルビデオディスク）の開発が進んできている。このＤＶＤ方式光ディスク（以下単にＤＶＤとも言う）では、６３５ｎｍもしくは６５０ｎｍの短波長半導体レーザを使用したとき、ピックアップ対物レンズの光ディスク側の開口数ＮＡを０．６としている。また、ディスク基板厚みを従来のＣＤの半分の０．６ｍｍとしている。さらに、トラックピッチ０．７４μｍ、最短ピット長０．４μｍとＣＤのトラックピッチ１．６μｍ、最短ピット長０．８３μｍの半分以下に高密度化されている。
【０００３】
また、ＤＶＤ、ＣＤとは別に、種々の規格の光ディスクが商品化されている。光磁気ディスク（ＭＯ）では、ＩＳＯ規格の３．５インチサイズのものでは記録容量が１２８ＭＢ、２３０ＭＢ、６４０ＭＢの光ディスクが商品化されており、ディスク基板厚は１．２ｍｍである。例えば２３０ＭＢのＭＯを記録・再生するには、波長が７８０ｎｍ程度のレーザ光源を使用し、光ディスク側のＮＡが０．５５程度の回折限界集光光学系が使用される。また、６４０ＭＢのＭＯを記録・再生するには、波長が６８０ｎｍ程度のレーザ光源を使用し、光ディスク側のＮＡが０．５５程度の回折限界集光光学系が使用される。
【０００４】
さらに、最近のＭＯの分野では、ＩＳＯ規格とは別のＨＳ規格の製品が商品化されており、これは記録容量が６４０ＭＢ、基板厚が０．８ｍｍであり、これを記録・再生するには、波長が６８０ｎｍ程度のレーザ光源を使用し、光ディスク側のＮＡが０．５５程度の回折限界集光光学系が使用される。その他に、レーザディスク（ＬＤ）やＭＤ、ＰＤ等も普及しており、５．２５インチサイズの光磁気ディスク、１２インチサイズのディスクも業務用を中心として商品化されている。また、ＳＨＧに代表されるレーザ光源の短波長化技術、青色半導体レーザ等利用による、さらに記録密度が高い光ディスクの開発が進められている。
【０００５】
このように、市場には、サイズ、基板厚、記録密度、使用波長等が異なる様々な光ディスクが存在する時代となっており、今後とも様々な光ディスクに対応できる光ピックアップ装置が重要である。
【０００６】
複数の光ディスクに対応する光ピックアップ装置はこれまでに種々提案されている。一つは、それぞれの光ディスクに対応した複数の光ピックアップ装置を切り替えて使用する方法である。また、他の方法として、ＤＶＤとＣＤの２種類の光ディスクに対応する場合、図１の従来例の光ピックアップ装置の構成図に示すように、それぞれの光ディスクに対応した対物レンズと絞りを切り替える方法が知られている。
【０００７】
ここで、図１の光ピックアップ装置について簡単に説明する。図で、ＤＶＤを再生する場合には、レーザ光源１（波長は６３５ｎｍないし６５０ｎｍ）から出射した光束は、ホログラムビームスプリッタ２を通過してレンズ３に入射し、平行光束となり絞り５で対物レンズ６を出射してＤＶＤに向かう光束の開口数が０．６程度となるように光束制限されて対物レンズ６へ入射する。この対物レンズ６は平行光束が入射したときに或る所定の厚みの基板（ディスク基板、ここではｔ＝０．６ｍｍ）７を通して無収差の光スポットを情報記録面８上へ結像させる。
【０００８】
この情報記録面８で情報ピットにより変調されて反射した光束は、対物レンズ６、レンズ３を介してホログラムビームスプリッタ２に戻り、ここでレーザ光源１からの光路から分離され、光検出器９へ入射する。この光検出器９は多分割されたＰＩＮフォトダイオードであり、各素子より、入射した光束の強度に比例した電流を出力し、この電流を図示しない検出回路系に送り、ここで情報信号、フォーカスエラー信号、トラックエラー信号を生成する。このフォーカスエラー信号、トラックエラー信号に基づき磁気回路とコイル等で構成される２次元アクチュエータ（図示せず）で対物レンズ６をフォーカシング方向、トラッキング方向に制御し、常に情報トラック上に光スポット位置を合わせる。
【０００９】
次に、ＤＶＤに変えてＣＤを再生使用とする場合、図で点線で囲むアクチュエータ部でＣＤ対応の対物レンズ１１と絞り１０に切り替えて再生するようにする。この場合レーザ光源として波長が６３５（ｎｍ）のものを使用する場合、ＣＤの再生で必要なＮＡは０．３８程度となる。このＣＤの場合、コリメータレンズ３を出射した平行光束は、絞り１０で対物レンズ１１を出射してＣＤに向かう光束の開口数が０．３８程度となるように光束制限されて対物レンズ１１へ入射する。この対物レンズ１１は平行光束が入射したときに或る所定の厚みの基板７（ディスク基板、ここではｔ＝１．２ｍｍ）を通して無収差の光スポットを情報記録面８上へ結像させる。
【００１０】
前述の二つの方法は、いずれも対物レンズは複数の種類のものが必要であるが、一つの対物レンズで、複数の光ディスクを再生しようとする方法が種々提案がされている。
【００１１】
特開平８−５５３６３号公報に記載の方法では、波長が６３５ｎｍのとき再生に必要な開口数が０．６で基板厚０．６ｍｍの第１の光ディスクと、これとは基板厚もしくは対応波長が異なる第２の光ディスクを念頭に、二つの光源を使用し、双方の光ディスクに対して結像スポットの波面収差がそれぞれ０．０１λｒｍ以下となるように配置した例を示している。第２の光ディスクがＣＤ−Ｒの場合には、第１の光ディスク用には波長が６３５ｎｍの光源を使用し、第２の光ディスク用には波長が７８０ｎｍの光源を使用し、対物レンズを出射した光束の開口数が再生に最適になるように開口を設けている。
【００１２】
社団法人・応用物理学会文科会の日本光学会主催「第２１回光学シンポジウム」での講演番号１８で発表され、講演予稿集のＰ４５〜Ｐ４８に掲載されている論文「ディスク基板厚み可変の対物光学系」には、正の補正レンズを対物レンズに対して光軸方向に相対移動させることで、基板厚みの変化により発生する球面収差を補正する方法が示されている。
【００１３】
使用波長としては６５０ｎｍを想定し、基板厚み０．６ｍｍ、開口数０．６で良好に収差補正された対物レンズを使用し、光源、補正レンズ、開口絞り、対物レンズ、基板厚０．６ｍｍの光ディスクよりなる第１の配置では、対物レンズを出射する光束の開口数が０．６となるような絞りを使用し、ほぼ無収差となっている。同様に、光源、補正レンズ、開口絞り、対物レンズ、基板厚１．２ｍｍの光ディスクよりなる第２の配置では、補正レンズを光源側に移動し、また、対物レンズを出射する光束の開口数が０．３７５となるような絞りを使用し、この範囲でほぼ無収差となっている。
【００１４】
「Ｉｎｔｅｒｎａｔｉｏｎａｌ  ｓｙｍｐｏｓｉｕｍ  ｏｎ  ｏｐｔｉｃａｌ  ｍｅｍｏｒｙ  ａｎｄ  ｏｐｔｉｃａｌ  ｄａｔａ  ｓｔｏｒａｇｅ  １９９６」での講演番号ＯＴｈＣ４−１で発表され、テクニカルダイジェストの３２３ｐ〜３２５ｐに掲載されている論文「Ｄｕａｌ  Ｗａｖｅｌｅｎｇｔｈ  Ｏｐｔｉｃａｌ  Ｈｅａｄ  ｆｏｒ  ０．６ｍｍ  ａｎｄ  １．２ｍｍ  Ｓｕｂｓｔｒａｔｅ  Ｔｈｉｃｋｎｅｓｓ」には、二つの光源と一つの共通の０．６ｍｍの基板厚に対して設計された対物レンズを使用し、第１の波長が６３５ｎｍの光源でＤＶＤ、第２の波長が７８５ｎｍの光源でＣＤを再生する光学系が提案されている。
【００１５】
第１の方法は、平行光束中にホログラム光学素子を配置し、ホログラムの部分では６３５ｎｍの光束は０次の回折光としてそのまま透過し、７８５ｎｍの光束は１次の回折光として、基板厚の差により発生する球面収差を補正するような光束に変換される。ホログラムの部分の径は７８５ｎｍの光束が対物レンズを通して、開口数０．４５となるように設定される。６３５ｎｍの光束は対物レンズと基板を通って開口数が０．６で無収差の光束に変換される。７８５ｎｍの光束は対物レンズと基板を通って開口数が０．４５以内で無収差の光束に変換される。開口数が０．４５以上の光束は、大きな球面収差を持っているため情報記録面上ではフレアとなる。
【００１６】
第２の方法は、特開平８−５５３６３号公報にみられるように、６３５ｎｍの光束は、対物レンズに平行光束として入射するのに対して、７８５ｎｍの光束は、対物レンズから見て倍率が−０．０６５となるように配置し、ＤＶＤ、ＣＤの双方に対して無収差の光束として情報記録面に集光される。
【００１７】
このとき、可変開口と呼ばれる７８５ｎｍの光束のうち、対物レンズと基板を通って開口数が０．４５以上となる光束を反射するような輪帯状の干渉フィルターをもうけた光学素子が対物レンズの光源側に挿入されている。尚、この干渉フィルターは６３５ｎｍの光を透過させることができるようにしている。この結果、６３５ｎｍの光束は対物レンズと基板を通って開口数が０．６で無収差の光束となり、７８５ｎｍの光束は対物レンズと基板を通って開口数が０．４５以内で無収差の光束となる。
【００１８】
しかし、特開平８−５５３６３号公報に記載の方法は、ＣＤ再生用のレーザ光源からの光束は対物レンズを出射した光束の開口数が再生に最適になるようにしているため、トラッキングのため対物レンズが光軸垂直方向に移動すると光検出器に戻る光量が減少しトラッキングレンジが少なくなり偏心の大きいＣＤを再生することが困難になるといった問題がある。
【００１９】
社団法人・応用物理学会文科会の日本光学会主催「第２１回光学シンポジウム」での講演番号１８で発表された方法により、基板厚のことなる各種の光ディスクに対応することが可能であるが開口絞り調整装置や絞りの挿入装置が必要となる。
【００２０】
「Ｉｎｔｅｒｎａｔｉｏｎａｌ  ｓｙｍｐｏｓｉｕｍ  ｏｎ  ｏｐｔｉｃａｌｍｅｍｏｒｙ  ａｎｄ  ｏｐｔｉｃａｌ  ｄａｔａ  ｓｔｏｒａｇｅ  １９９６」での講演番号ＯＴｈＣ４−１で発表された方法では、ホログラム光学素子や可変開口を必要とする。
【００２１】
従来の対物組レンズには、複数のレンズとは別に光束を制限する絞りが鏡枠にあり、その後、この種の光学系では、非球面を使って、１枚の対物単レンズが使用されるのが普通になった。このような対物単レンズは、プラスチック若しくはガラスの成型品であり、研磨された球面単レンズとは異なり、有効径に対して外形が大きくないと、有効径内の面精度が悪化し問題があった。従って、対物単レンズとは別に、光情報ピックアップには、別に光束を制限する絞りを設けていた。この絞りは、別部品であり、対物単レンズの光軸との芯ずれを起こさないように組み込む必要があり、部品のコストと組み立てのコストがかかっていた。
【００２２】
【発明が解決しようとする課題】
しかしながら、以上の従来の方法の組み合わせで、基板厚、記録密度、使用波長が異なる様々な光ディスクに対応するとすると、複数の絞り径に切り換える必要があり、絞りの挿入、切換機構や、可変絞り装置、あるいはホログラムや干渉フィルタを用いた特殊な光学素子を必要として、極めて複雑なピックアップ装置となってしまう。
【００２３】
本発明は、上記の課題に鑑みなされたもので、一つの対物レンズを使い、基板厚、記録密度の異なる様々な光ディスクをピックアップ装置を複雑化しないで実現することを目的としている。また、反射率等の問題から、使用するレーザ波長に制限がある場合には、複数のレーザ光源を使用することもやむをえないがその場合でも極めてシンプルな光学系で実現することを目的としている。特に、開口絞りの挿入や、開口絞り調整装置を必要とせず、また固定絞りによるけられにより、トラッキングレンジが少なくなり偏心の大きいＣＤを再生することが困難になるといった問題もない光学系とすることを目的としている。さらに、対物レンズの光源側に設けられている絞りを省略することで、さらにシンプルな構造とすることを目的としている。
【００２４】
【課題を解決するための手段】
上記の目的は下記の構成により達成される。即ち、
本発明に係る光ピックアップ装置は、レーザ光源と、レーザ光源からの光束を光情報記録媒体の情報記録面上に集光する正の屈折力を有する対物レンズと、前記情報記録面で反射され前記対物レンズを通過した光束を受光する受光手段と、前記対物レンズに入射する光束の発散度を変える発散度変更手段を有する光情報記録媒体の光ピックアップ装置において、
レーザ光源の波長をλ、情報記録面に入射する光束に関して、開口数ＮＡ以下の光束の波面収差ＲＭＳ値の球面収差成分をＷＳＡ（ＮＡ）としたときに、第１の光情報記録媒体について情報を読み出せる光スポットを波長λで得る為の対物レンズの光情報記録媒体側の必要開口数をＮＡ１としたときに、第１の光情報記録媒体に対しては、対物レンズを出射する光束の開口数がＮＡ１で、かつ下記の条件を満足し、
ＷＳＡ（ＮＡ１）＜０．０５λ
さらに第２の光情報記録媒体について情報を読み出せる光スポットを波長λで得る為の対物レンズの光情報記録媒体側の必要開口数をＮＡ２としたときに、第２の光情報記録媒体に対しては下記の条件を満足するように、前記発散度変更手段により対物レンズに入射する光束の発散度を第１の光情報記録媒体の場合と異ならせたことを特徴としている。
【００２５】
ＮＡ１＞１．１ＮＡ２
０．０３λ＜ＷＳＡ（ＮＡ２）＜０．１２λ
ＷＳＡ（１．１ＮＡ２）／ＷＳＡ（ＮＡ２）＞１．２
本発明に係る光ピックアップ装置は、レーザ光源と、レーザ光源からの光束を光情報記録媒体の透明基板を介して情報記録面上に集光する正の屈折力を有する対物レンズと、前記情報記録面で反射され前記対物レンズを通過した光束を受光する受光手段と、前記対物レンズに入射する光束の発散度を変える発散度変更手段を有する光情報記録媒体の光ピックアップ装置において、
レーザ光源の波長をλ、対物レンズを出射する光束に関して、開口数ＮＡ以下の光束の透明基板を通したときの波面収差ＲＭＳ値の球面収差成分をＷＳＡ（ＮＡ）としたときに、第１の光情報記録媒体について情報を読み出せる光スポットを波長λで得る為の対物レンズの光情報記録媒体側の必要開口数をＮＡ１としたときに、第１の光情報記録媒体に対しては、対物レンズを出射する光束の開口数がＮＡ１で、かつ下記の条件を満足し、
ＷＳＡ（ＮＡ１）＜０．０５λ
さらに第１の光情報記録媒体とは透明基板の厚みが異なる第２の光情報記録媒体について情報を読み出せる光スポットを波長λで得る為の対物レンズの光情報記録媒体側の必要開口数をＮＡ２としたときに、第２の光情報記録媒体に対しては下記の条件を満足するように、前記発散度変更手段により対物レンズに入射する光束の発散度を第１の光情報記録媒体の場合と異ならせたことを特徴としている。
【００２６】
ＮＡ１＞１．１ＮＡ２
０．０３λ＜ＷＳＡ（ＮＡ２）＜０．１２λ
ＷＳＡ（１．１ＮＡ２）／ＷＳＡ（ＮＡ２）＞１．２
本発明に係る光ピックアップ装置は、レーザ光源と、レーザ光源からの光束を光情報記録媒体の透明基板を介して情報記録面上に集光する正の屈折力を有する対物レンズと、前記情報記録面で反射され前記対物レンズを通過した光束を受光する受光手段と、前記対物レンズに入射する光束の発散度を変える発散度変更手段を有する光情報記録媒体の光ピックアップ装置において、
レーザ光源の波長をλ、対物レンズを出射する光束に関して、開口数ＮＡ以下の光束の透明基板を介したときの波面収差ＲＭＳ値の球面収差成分をＷＳＡ（ＮＡ）としたときに、第１の光情報記録媒体について情報を読み出せる光スポットを波長λで得る為の対物レンズの光情報記録媒体側の必要開口数をＮＡ１としたときに、第１の光情報記録媒体に対しては、対物レンズを出射する光束の開口数がＮＡ１であり、さらに第１の光情報記録媒体とは透明基板の厚みが異なる第２の光情報記録媒体について情報を読み出せる光スポットを波長λで得る為の対物レンズの光情報記録媒体側の必要開口数をＮＡ２としたときに、
ＮＡ１＞１．１ＮＡ２
であり、第２の光情報記録媒体に対しては、記録された情報を読み出すのに最適な光スポットを得るために、前記発散度変更手段により対物レンズに入射する光束の発散度を第１の光情報記録媒体の場合と異ならせたことを特徴としている。
【００２７】
本発明に係る光ピックアップ装置は、第１のレーザ光源と、第２のレーザ光源と、前記レーザ光源からの光束を光情報記録媒体の情報記録面上に集光する正の屈折力を有する対物レンズと、前記情報記録面で反射され前記対物レンズを通過した光束を受光する受光手段とを有する光情報記録媒体の光ピックアップ装置において、
第１のレーザ光源の波長をλ１、情報記録面に入射する光束に関して、開口数ＮＡ以下の光束の波面収差ＲＭＳ値の球面収差成分をＷＳＡ（ＮＡ）としたときに、第１の光情報記録媒体について情報を読み出せる光スポットを波長λ１で得る為の対物レンズの光情報記録媒体側の必要開口数をＮＡ１としたときに、第１の光情報記録媒体に対しては、対物レンズを出射する光束の開口数がＮＡ１で、かつ下記の条件を満足し、
ＷＳＡ（ＮＡ１）＜０．０５λ１
さらに第２の光情報記録媒体について情報を読み出せる光スポットを波長λ２で得る為の対物レンズの光情報記録媒体側の必要開口数をＮＡ２としたときに、
ＮＡ１＞１．１ＮＡ２
であり、第２の光情報記録媒体に対しては下記の条件を満足するように、対物レンズに入射する第２の光束の発散度と第１の光束の発散度とは異ならせたことを特徴としている。
【００２８】
０．０３λ＜ＷＳＡ（ＮＡ２）＜０．１２λ２
ＷＳＡ（１．１ＮＡ２）／ＷＳＡ（ＮＡ２）＞１．２
本発明に係る光ピックアップ装置は、第１のレーザ光源と、第２のレーザ光源と、前記レーザ光源からの光束を光情報記録媒体の情報記録面上に集光する正の屈折力を有する対物レンズと、前記情報記録面で反射され前記対物レンズを通過した光束を受光する受光手段とを有する光情報記録媒体の光ピックアップ装置において、
第１のレーザ光源の波長をλ１、第１の光情報記録媒体について情報を読み出せる光スポットを波長λ１で得る為の対物レンズの光情報記録媒体側の必要開口数をＮＡ１としたときに、第１の光情報記録媒体に対しては、第１の光束を使用し、対物レンズを出射する光束の開口数がＮＡ１であり、さらに第２の光情報記録媒体について情報を読み出せる光スポットを波長λ２で得る為の対物レンズの光情報記録媒体側の必要開口数をＮＡ２としたときに、
ＮＡ１＞１．１ＮＡ２
であり、第２の光情報記録媒体に対しては、第２の光束を使用し、記録された情報を読み出すのに最適な光スポットを得るために、対物レンズに入射する光束の発散度を第１の光束とは異ならせたことを特徴としている。
【００２９】
請求項１記載の本願発明の記録再生用対物単レンズは、レーザ光源と、レーザ光源からのほぼ無収差の光束を光情報記録媒体の透明基板を介して情報記録面上に集光する正の屈折力を有する対物単レンズと、前記情報記録面で反射され前記対物単レンズを通過した光束を受光する受光手段を有する光情報記録媒体の光ピックアップ装置の光情報記録媒体の記録再生用対物単レンズにおいて
レーザ光源の波長をλ、光情報記録媒体について情報を読み出せる光スポットを波長λで得る為の対物単レンズの光情報記録媒体側の必要開口数をＮＡ１としたときに、対物単レンズを出射した開口数ＮＡ１の光束の光源側の面の有効半径をＨ１としたときに、少なくともＨ１から１．０２Ｈ１までの範囲に入射した光束は、対物単レンズを透過し、かつ対物レンズに入射する入射高Ｈ以下の光束の透明基板を介しての波面収差ＲＭＳ値の球面収差成分をＷＳＡ（Ｈ）とし、下記の条件を満足し、
ＷＳＡ（Ｈ１）＜０．０５λ
ＷＳＡ（１．０２Ｈ１）／ＷＳＡ（Ｈ１）＞１．２
かつ、前記光源側の面の有効半径Ｈ１の箇所において、光軸と垂直な平面に対して、前記有効半径Ｈ１の外側の少なくとも１．０２Ｈの間のレンズ面は、光源から遠ざかる方向に傾斜していることを特徴とする光情報記録媒体の記録再生用対物単レンズ。
【００３０】
本発明に係る記録再生用対物単レンズは、レーザ光源と、レーザ光源からのほぼ無収差の光束を光情報記録媒体の透明基板を介して情報記録面上に集光する正の屈折力を有する対物単レンズと、前記情報記録面で反射され前記対物レンズを通過した光束を受光する受光手段を有する光情報記録媒体の光ピックアップ装置の光情報記録媒体の記録再生用対物単レンズにおいて、
レーザ光源の波長をλ、光情報記録媒体について情報を読み出せる光スポットを波長λで得る為の対物単レンズの光情報記録媒体側の必要開口数をＮＡ１としたときに、対物単レンズを出射した開口数ＮＡ１の光束の光源側の面の有効半径をＨ１としたときに、少なくともＨ１から１．０２Ｈ１までの範囲に入射した光束は、対物単レンズを透過し、かつ対物レンズに入射する入射高Ｈでの縦の球面収差をＳＡ（Ｈ）としたとき、下記の条件を満足することを特徴としている。
｜ＳＡ（１．０２Ｈ１）｜＞８λ／（ＮＡ１）2
【００３１】
本発明に係る光ピックアップ装置は、前記レーザ光源から情報記録面を経て光検出器にいたるまでの光路中に、前記ＮＡ２より大きくＮＡ１より小さい範囲を通る光束が前記光検出器に入るのを遮蔽するリング状の光束遮蔽部を設けたことを特徴としている。
【００３２】
本発明に係る発明の光ピックアップ装置は、前記対物レンズの前記レーザ光源側の面または光情報記録媒体側の面に、前記ＮＡ２よりも大きくＮＡ１より小さい範囲を通る光束が前記光検出器に入るのを遮蔽するリング状の光束遮蔽部を設けたことを特徴としている。
【００３３】
本発明に係る光ピックアップ装置は、前記光検出器は、前記ＮＡ２の範囲を通る光束を受光できる部分と、ＮＡ１とＮＡ２の間を通る光束を受光できる部分とが分割された複数の受光素子で構成されていることを特徴としている。
【００３４】
本発明に係る情報再生方法は、レーザ光源から出射した光束を、集光光学系で光情報記録媒体の情報記録面上に光スポットとして集光させ、この情報記録面からの反射光を光検出器で受け、前記光情報記録媒体の情報記録面上に記録された情報を再生する情報再生方法において、
前記レーザ光源から出射される光束の波長をλ、情報記録面に入射する光束に関して、開口数ＮＡ以下の光束の波面収差ＲＭＳ値の球面収差成分をＷＳＡ（ＮＡ）としたときに、前記集光光学系として、情報記録面側の開口数ＮＡ１の範囲において、
ＷＳＡ（ＮＡ１）＜０．０５λ
の条件を満足する第１の光スポットを得ることが可能な集光光学系を用い、前記第１の光スポットよりも大きな径を有する第２の光スポットによる情報の再生を行う場合には、球面収差を発生させることにより前記第２の光スポットを得て情報の再生を行うことを特徴としている。
【００３５】
本発明に係る情報再生方法は、レーザ光源から出射した光束を、集光光学系で光情報記録媒体の情報記録面上に光スポットとして集光させ、この情報記録面からの反射光を光検出器で受け、前記光情報記録媒体の情報記録面上に記録された情報を再生する情報再生方法において、
前記レーザ光源から出射される光束の波長をλ、情報記録面に入射する光束に関して、開口数ＮＡ以下の光束の波面収差ＲＭＳ値の球面収差成分をＷＳＡ（ＮＡ）としたときに、前記集光光学系として、情報記録面側の開口数ＮＡ１の範囲において、
ＷＳＡ（ＮＡ１）＜０．０５λ
の条件を満足する第１の光スポットを得ることが可能な集光光学系を用い、
前記第１の光スポットよりも大きな径を有する第２の光スポットによる情報の再生を行う場合には、
前記第２の光スポットを得るために必要な前記集光光学系の情報記録面側の開口数ＮＡ２とするとき、
ＮＡ１＞１．１ＮＡ２
０．０３λ＜ＷＳＡ（ＮＡ２）＜０．１２λ
ＷＳＡ（１．１ＮＡ２）／ＷＳＡ（ＮＡ２）＞１．２
となる条件を満足するような球面収差を発生させて情報の再生を行うことを特徴としている。
【００３６】
本発明に係る情報再生方法は、集光光学系は少なくとも対物レンズを有し、該対物レンズに入射する光束の発散度を変えることで、球面収差を発生させることを特徴としている。
【００３７】
【実施例】
本発明の実施例の説明に先立ち、説明に使用する既存の光ディスクのデータと、比較のための従来例の一例を示す。
【００３８】
最初に、光ディスクについて説明する。光ディスクを再生するのには、回折限界性能の集光スポットによることを前提に、使用波長λと集光光学系を出射した光束の開口数ＮＡ、もしくはその比が個々の光ディスクに対して規格化されていて、それを満足することが望ましい。
【００３９】
既存の主な光ディスクについて、本発明では以下の値を使用して説明する。
【００４０】
【表１】
0003567406.tif 000002
【００４１】
無収差集光光学系に光エネルギー分布が一様な無収差の光束が入射した場合に、集光スポットは、中心強度に対して、強度が０となる複数のリング状のスポットとなる。
【００４２】
最も半径の小さい強度が０となるリングの半径は、回折理論から０．６１λ／ＮＡで表される。図２は無収差の光学系のスポット・シミュレーションの図を示しており、λ＝７８０ｎｍ、ＮＡ０．４５である。
【００４３】
スポットの良否の判定尺度として、中心強度が１／ｅ２となるスポット半径をｒ１とし、サイドローブの最大強度と中心強度の比をα１とすると、この場合は、ｒ１＝０．７２μｍ、α１＝１．８％である。なお、一般的にはα１≧１３％で、サイドロープによるジッターが劣化する。
【００４４】
次に、比較のために従来の光学系の一例をここで示す。使用する記号は下記の通りである。
【００４５】
ｒｉ：光源側から第ｉ番目の面の曲率半径
ｄｉ：光源側から第ｉ番目の面と第ｉ＋１番目の面との光軸上の厚みあるいは間隔
ｎｉ：光源側から第ｉ番目の面と第ｉ＋１番目の面との間の媒質の使用波長での屈折率
レンズ面の非球面形状は、面の頂点を原点とし、光軸方向をＸ軸とした直交座標系において、κは円錐係数、Ａｉは非球面係数、Ｐｉ（４≦Ｐｉ）を非球面のべき数として、次の「数１」で表される。
【００４６】
【数１】
0003567406.tif 000003
【００４７】
（従来例）
従来例は、特開平８−５５３６３号公報を想定した光学系である。このような光学系では、コリメータを非球面レンズとすることで、無収差となるように設計できる。また、コリメータの光源側のＮＡが小さいため、コリメータからの光束を平行光から、やや発散光となるように、光源をコリメータの光源側の焦点位置からコリメータの光軸に沿ってコリメータ側に配置したとしても、発生する球面収差は僅かである。従ってここでは、対物レンズについてのみ記載する。
【００４８】
次に、表２、表３に光学データを示す。
【００４９】
【表２】
0003567406.tif 000004
【００５０】
【表３】
0003567406.tif 000005
【００５１】
また、図３にＤＶＤ、ＣＤ球面収差図を示し、図４に最良のスポット形状が得られるデフォーカス位置でのＤＶＤのスポット・シミュレーションを示し、図５に最良のスポット形状が得られるデフォーカス位置でのＣＤのスポット・シミュレーションの結果を示す。
【００５２】
ＤＶＤについては、ｒ１＝０．４４μｍ、α１＝１．８％
ＣＤについては、ｒ１＝０．７２μｍ、α１＝１．８％
ＤＶＤ、ＣＤともスポットは申し分ない値となっている。
【００５３】
また、図６にＣＤのスポット・シミュレーションを示し、これはＤＶＤと同じ絞り径を使った時のＣＤのスポット・シミュレーションの結果を示している。このとき
ｒ１＝０．５６μｍ、α１＝２．１％
すなわち、ＮＡ＝０．５８相当のスポットとなる。このように３０％以上も絞られすぎているため、やはり再生信号は劣化する。また、光ディスクが傾いたときの影響は、ＮＡの三乗に比例するが、そりの大きいＣＤでは問題となる。
【００５４】
従って、この光学系においては、ＣＤを再生する際には、ＤＶＤで使用した絞りに変えて、ＣＤ再生用の絞りを設定することが必須となる。
【００５５】
光ピックアップ装置に要求される光学特性としては、情報記録面に情報を読みとる最適な形状のスポットが集光されればよく、必ずしも無収差の光束による回折限界性能ではなくともよい。
【００５６】
光学面に段差をもつようなレンズでは、波面も不連続となり、波面収差も著しく大きくなるが、特開平７−３０２４３７号公報に記載の対物レンズのように、屈折面をリング形状の複数の領域に分割したり、また、「Ｉｎｔｅｒｎａｔｉｏｎａｌ  ｓｙｍｐｏｓｉｕｍ  ｏｎ  ｏｐｔｉｃａｌ  ｍｅｍｏｒｙ  ａｎｄ    ｏｐｔｉｃａｌ  ｄａｔａ  ｓｔｏｒａｇｅ  １９９６」での講演番号ＯＦＡ３−１で発表さた対物レンズのようにＤＶＤ用に最適化された対物レンズに輪帯状の遮蔽をほどこしたレンズでは、波面収差のＲＭＳ値を定義できない。
【００５７】
しかしながら、両者とも得られるスポットは、最適なデフォーカス位置では回折限界性能のスポットと遜色がないものとできる。
【００５８】
対物レンズに入射する光束の発散度を変えることで、波面収差の球面収差成分をコントロールすることができる。対物レンズがどうあれ、対物レンズに入射する光束の発散度を変える。すなわち、波面収差の球面収差成分を変えることでスポット形状のコントロールが可能である。
【００５９】
レーザ光源の波長をλ、第１の光情報記録媒体について情報を読み出せる光スポットを波長λで得るための集光光学系の光情報記録側の必要開口数をＮＡ１、第２の光情報記録媒体のそれをＮＡ２としたとき、集光光学系の波面が連続な場合においては、ＮＡ１＞１．１ＮＡ２を満たす第２の光情報記録媒体に関しては、
０．０３λ＜ＷＳＡ（ＮＡ２）＜０．１２λ
ＷＳＡ（１．１ＮＡ２）／ＷＳＡ（ＮＡ２）＞１．２
とすることで、再生に必要な大きさのサイドローブの小さいスポットが得られる。ここで、ＷＳＡ（ＮＡ２）＜０．０３λのときは、ビームスポットが絞られすぎる。また、ＷＳＡ（ＮＡ２）＞０．１２λのときは、サイドローブが大きくなりジッターが劣化する。また、ＷＳＡ（１．１ＮＡ２）／ＷＳＡ（ＮＡ２）＜１．２のときは、スポットが小さくなりすぎる。
【００６０】
以下に、この発明に係わる実施例、参考例を説明する。実施例、参考例に使用する記号は、前述の従来の光学系の比較に記載のものを使用し説明は省略する。
【００６１】
（参考例１）
参考例１の光学データを表４、表５に示す。なお表中で、ｄｉは第１の光情報記録媒体に対応し、ｄｉ′は第２の光情報記録媒体に対応し、ｄｉ″は第３の光情報記録媒体に対応する。
【００６２】
【表４】
0003567406.tif 000006
【００６３】
【表５】
0003567406.tif 000007
【００６４】
また、図７にＤＶＤ、ＣＤおよびＭＯの球面収差図を示し、図８に最良のスポット形状が得られるデフォーカス位置でのＣＤのスポット・シミュレーションの結果を示す。また、図９に最良のスポット形状が得られるデフォーカス位置でのＭＯのスポット・シミュレーションの結果を示す。なお、ＤＶＤのスポット・シミュレーションの結果は図４に示すものと同様である。
【００６５】
ＤＶＤについては、ｒ１＝０．４４μｍ、α１＝１．８％
ＣＤについては、ｒ１＝０．７μｍ、α１＝  ５．７％
ＭＯについては、ｒ１＝０．５１μｍ、α１＝７．９％
以上のように、ＤＶＤ、ＣＤ、ＭＯに関して、すべて対物レンズの倍率をことならせて、適切な球面収差を発生させることで、情報を読み出せる光スポットを波長λで得るための対物レンズの光情報記録側の必要開口数が異なったり、または透明基板板厚が異なったりした場合でも、良好なスポットが得られる。また、この参考例では、ＣＤ、ＭＯに関してオーバーの球面収差が残留しているが、このとき、それぞれの倍率の差も少ないことから、正弦条件等の性能の変化も少ない。
【００６６】
ここで、図１０にＤＶＤの第１の光情報記録媒体に対応するときの光ピックアップ装置の構成を示す。図で、レーザ光源１から出射した光束は、ホログラムビームスプリッタ２を通過して光軸方向に移動可能な枠２０で保持されたレンズ３を通ってほぼ平行光束となり、絞り５で所定の光束に制限されて対物レンズ６に入射する。対物レンズ６に入射した光束は対物レンズ６で集光され基板７を通して記録面８上に集光される。この記録面８で情報ピットにより変調されて反射した光束は、対物レンズ６、レンズ３を介してホログラムビームスプリッタ２に戻り、ここでレーザー光源１の光路から分離され、受光手段である光検出器９へ入射する。この光検出器９は多分割されたＰＩＮフォトダイオードで構成され、各素子より、入射した光束の強度に比例した電流を出力し、この電流を図には示さない検出回路系に送りここで情報信号、フォーカスエラー信号、トラックエラー信号を生成する。このフォーカスエラー信号、トラックエラー信号に基づき磁気回路とコイル等で構成される２次元アクチュエータ（図示せず）で一体的に設けられている図で点線の対物レンズ６と絞り５を制御し、常に情報トラック上に光スポット位置を合わせるように構成されている。
【００６７】
次に、図１１にＣＤの第２の光情報記録媒体に対応するときの光ピックアップ装置の構成を示す。図で、より厚い第２の光情報記録媒体の読み取り時は発散度変更手段であるレンズ移動手段２１によりレンズ３を光軸方向レーザ光源側の所定位置へ移動させる。同様にして、第３のＭＤの光情報記録媒体の読み取り時に関しても同じである。
【００６８】
（参考例２）
次に、参考例２の光学データを表６、表７に示す。なお、表中でｄｉ、ｎｉは第１の光情報記録媒体（ＤＶＤ）に対応し、ｄｉ′、ｎｉ′は第２の光情報記録媒体（ＣＤ）に対応する。
【００６９】
【表６】
0003567406.tif 000008
【００７０】
【表７】
0003567406.tif 000009
【００７１】
また、図１２に、ＤＶＤ、ＣＤ球面収差図を示し、図１３に、最良のスポット形状が得られるデフォーカス位置でのＣＤのスポット・シミュレーションの結果を示す。なお、ＤＶＤのスポット・シミュレーションの結果は図４と同様である。
【００７２】
ＤＶＤについては、ｒ１＝０．４４μｍ、α１＝１．８％
ＣＤについては、ｒ１＝０．６９μｍ、α１＝３．４％
ＤＶＤ、ＣＤに関して、二つの光束について対物レンズの倍率が異ならせることで、情報を読み出せる対物レンズの光情報記録媒体側の必要開口数が異なったり、または透明基板厚が異なったりした場合でも、良好なスポットが得られる。この参考例では、ＣＤについてオーバーな球面収差が残留するようにしているが、参考例１と２との関係と同様に、アンダーな球面収差が残留するようにしても良い。
【００７３】
次に、図１４により、ＤＶＤの第１の光情報記録媒体に対応するときの光ピックアップ装置の構成を示す。図で、レーザ光源１から出射した光束は、ホログラムビームスプリッタ２を通過してレンズ３を通ってほぼ平行光束となり、絞り５で所定の光束に制限されて対物レンズ６に入射する。対物レンズ６に入射した光束は対物レンズ６で集光され基板７を通して記録面８上に集光される。この記録面８で情報ピットにより変調されて反射した光束は、対物レンズ６、レンズ３を介してホログラムビームスプリッタ２に戻り、ここでレーザー光源１の光路から分離され、受光手段である光検出器９へ入射する。この光検出器９は多分割されたＰＩＮフォトダイオードで構成され、各素子より、入射した光束の強度に比例した電流を出力し、この電流を図には示さない検出回路系に送りここで情報信号、フォーカスエラー信号、トラックエラー信号を生成する。このフォーカスエラー信号、トラックエラー信号に基づき磁気回路とコイル等で構成される２次元アクチュエータ（図示せず）で一体的に設けられている図で点線の対物レンズ６と絞り５を制御し、常に情報トラック上に光スポット位置を合わせるように構成されている。
【００７４】
次に、図１５に、ＣＤの第２の光情報記録媒体に対応するときの光ピックアップ装置の構成を示す。図で、光情報記録媒体の読み取り時は、第２のホログラムレーザユニット切替え手段であるターレット３４を軸３５を中心に回転させて切替える。切替えると、レーザ光源３１、ホログラムビームスプリッタ３２、受光手段である光検出器３３がセットされる。
【００７５】
なお、レーザ光源３１、ホログラムビームスプリッタ３２、光検出器３３からなるホログラムレーザユニットと、レーザ光源１、ホログラムビームスプリッタ２、光検出器９を挿入させる機構でも良い。また、特開平８−５５３６３号公報に記載の各種光ピックアップ装置にも適用が可能である。
【００７６】
なお、参考例１、２において、「Ｉｎｔｅｒｎａｔｉｏｎａｌ  ｓｙｍｐｏｓｉｕｍ  ｏｎ  ｏｐｔｉｃａｌ  ｍｅｍｏｒｙ  ａｎｄ  ｏｐｔｉｃａｌ  ｄａｔａ  ｓｔｏｒａｇｅ  １９９６」での講演番号ＯＦＡ３−１で発表された対物レンズを用いたり、特願平７−３３０５３９号に記載されているように、レーザ光源から情報記録面を経て光検出器にいたるまでの光路中に、図１６のリング状の光束遮蔽部を有するマスクの図に示すような、ＮＡ２よりも大きく、ＮＡ１よりも小さい範囲を通り光検出器に入射する光束を遮蔽するレンズ状の光束遮蔽部を設けることで、さらに良好なスポットを得ることができる。この光束遮蔽部の外径は、大き過ぎると光量ロスの増大によって、ＮＡ１で読み出しを行う光ディスクからの情報読み出し性能の劣化をまねく。したがって、ノイズ成分となる光束の遮蔽は必要最低限とするのが良く、具体的にはＮＡ２の範囲で最良波面収差となる焦点位置より、焦点深度の１〜２倍後方に焦点を結ぶ光束までをカットするようにすることが好ましい。
【００７７】
また、特願平８−１２３３７５号に記載の段差があるレンズにしても同様な効果がある。また、光検出器を、ＮＡ２の範囲を通る光束を受光できる部分と、ＮＡ１とＮＡ２の間を通る光束を受光できる部分とが分割された図１７に示す８分割の光検出器の素子構成のような光検出器を用いることで、より良好な信号を得ることができる。
【００７８】
図１７は８分割の光検出器の素子構成を示す図で、図１７（ａ）は素子の構成を示す図で、図１７（ｂ）は透明基板の厚みｔ＝０．６ｍｍの第１の光ディスクからの光束の集光状態を示す図で、図１７（ｃ）は透明基板の厚みｔ＝１．２ｍｍの第２の光ディスクからの光束の集光状態を示す図である。図で、分割線Ｓは光ディスクの情報記録面の情報トラックの写像と略方向が一致するようにしており、分割線Ｒにより内側の４分割された領域と、外側の４分割された領域に分離される。図１７（ｂ）で、さらに詳しくは、透明基板の厚みｔ＝０．６ｍｍの第１の光ディスクからの光束が８分割光検出器上へスポット径で集光している状態を示している。
【００７９】
フォーカスエラー信号は非点収差法により
（Ａ１＋Ａ２＋Ｃ１＋Ｃ２）−（Ｂ１＋Ｂ２＋Ｄ１＋Ｄ２）
トラックエラー信号はプッシュプル法により
（Ａ１＋Ａ２＋Ｂ１＋Ｂ２）−（Ｃ１＋Ｃ２＋Ｄ１＋Ｄ２）
で検出される。
【００８０】
又、情報信号は全素子の総和
（Ａ１＋Ａ２＋Ｂ１＋Ｂ２＋Ｃ１＋Ｃ２＋Ｄ１＋Ｄ２）、若しくは外周部のみの（Ａ２＋Ｂ２＋Ｃ２＋Ｄ２）で検出される。外周部のみからの信号検出とすると、高周波成分が強調され、最短ピットの変調度を向上させることができる。
【００８１】
次に、図１７（ｃ）で、透明基板の厚みｔ＝１．２ｍｍの第２の光ディスクからの光束が８分割光検出器上へスポット径で集光している状態を示している。中心部に高い光強度を持ち、その外側はフレヤー状の集光となり、この中心部を主に受光する（Ａ１＋Ｂ１＋Ｃ１＋Ｄ１）で情報信号を検出する。この受光範囲は前記ＮＡ２となるのが望ましい。
【００８２】
フォーカスエラー信号は非点収差法により
（Ａ１＋Ａ２＋Ｃ１＋Ｃ２）−（Ｂ１＋Ｂ２＋Ｄ１＋Ｄ２）若しくは
（Ａ１＋Ｃ１）−（Ｂ１＋Ｄ１）
トラックエラー信号はプッシュプル法により
（Ａ１＋Ａ２＋Ｂ１＋Ｂ２）−（Ｃ１＋Ｃ２＋Ｄ１＋Ｄ２）若しくは
（Ａ１＋Ｂ１）−（Ｃ１＋Ｄ１）で検出される。
【００８３】
このように光検出器を、情報信号を検出する領域で分割することにより、球面収差によるフレア光のない領域での信号検出が可能となり、再生性能が向上する。又、前記のリング状光束遮蔽部を光路中に設けることにより、更にノイズ成分となる光束をカットしてジッターを減少させることができる。
【００８４】
なお、ここでは、ＮＡ１＞１．１ＮＡ２としているが、望ましくはＮＡ１＞１．２ＮＡ２とすることで、より効果を得ることができる。
【００８５】
（実施例１）
実施例１は請求項１、２に対応するもので、図１８は実質上の絞りを有する対物単レンズの光軸断面図である。図で、対物単レンズ（対物レンズともいう）６の有効半径Ｈ１は対物レンズの半径を示し、有効半径Ｈ１より大きいレンズ面６１は透明となっており、実質上の絞りの役割を果す光が通過する部分である。
【００８６】
対物単レンズ６として、有効半径Ｈ１の外の光を有効径内の光の収束する位置と大きく異ならせることで、絞りの役割を果たさせることができる。有効径内では、収差の発生状況にもよるが、光線収差を、４λ／（ＮＡ）２以内とすることが望ましい。絞りなしで使用する場合には、１．０２ＮＡでは、これとくらべて大きな光線収差を持っていればよい。
【００８７】
通常、３次の球面収差を考えれば、ＮＡの４乗に比例することから、もし、開口数ＮＡで４λ／（ＮＡ）2の収差であれば、約４．３λ／（ＮＡ）2の光線収差となる。これより著しく光線収差が大きければ、たとえ絞りがなくとも、開口数がＮＡのレンズとして作用することとなる。その量としては、上記量の２倍程度以上あれば問題ない。すなわち１．０２ＮＡでは８λ／（ＮＡ）2の光線収差を持てばよい。絞りとしての条件は以上の通りであるが、実際には絞りで制限されない光束がフレアとなって再生信号に悪影響を及ぼしたり、安全上の問題が発生しないように設定する。また、波面収差としての目安としては、
ＷＳＡ（Ｈ１）＜０．０５λ
ＷＳＡ（１．０２Ｈ１）／ＷＳＡ（Ｈ１）＞１．２
このような、レンズに一体となった実質上の絞りは、非球面金型の加工では同時に加工することができるので、同心度、位置精度とも別に設けられた絞りよりも良好である。
【００８８】
【発明の効果】
以上のように構成したので、次のような効果を奏する。１つの対物レンズを使い、基板厚、記録密度の異なる様々な光ディスクのピックアップ装置を複雑化しないで実現できる。また、反射率等の問題から、使用するレーザ波長に制限がある場合には、複数のレーザ光源を使用することもやむを得ない場合でも、極めてシンプルな光学系を実現できる。特に、開口絞りの挿入や、開口絞り調整装置を必要とせず、また固定絞りによるけられにより、トラッキングレンジが少なくなり偏心の大きいＣＤを再生することが困難になることもなくなる光学系となる。また、対物レンズの光源側に設けられている絞りを省略することで、シンプルな構造となる。
【図面の簡単な説明】
【図１】従来例の光ピックアップ装置の構成図である。
【図２】無収差光学系のスポット・シュミレーションの図である。
【図３】ＤＶＤ、ＣＤの球面収差図である。
【図４】最良のスポット形状が得られるデフォーカス位置でのＤＶＤのスポット・シュミレーションである。
【図５】最良のスポット形状が得られるデフォーカス位置でのＣＤのスポット・シュミレーションである。
【図６】ＣＤのスポット・シュミレーションである。
【図７】ＤＶＤ、ＣＤ、ＭＯの球面収差図である。
【図８】最良のスポット形状が得られるデフォーカス位置でのＣＤのスポット・シュミレーションである。
【図９】最良のスポット形状が得られるデフォーカス位置でのＭＯのスポット・シュミレーションである。
【図１０】ＤＶＤの第１の光情報記録媒体に対応する光ピックアップ装置の構成図である。
【図１１】ＣＤの第２の光情報記録媒体に対応する光ピックアップ装置の構成図である。
【図１２】ＤＶＤ、ＣＤの球面収差図である。
【図１３】最良のスポット形状が得られるデフォーカス位置でのＣＤのスポット・シュミレーションである。
【図１４】ＤＶＤの第１の光情報記録媒体に対応する光ピックアップ装置の構成図である。
【図１５】ＣＤの第２の光情報記録媒体に対応する光ピックアップ装置の構成図である。
【図１６】リング状の光束遮蔽部を有するマスクの図である。
【図１７】８分割の光検出器の素子構成を示す図である。
【図１８】実質上の絞りを有する対物単レンズの光軸断面図である。
【符号の説明】
１  レーザ光源
２  ビームスプリッタ（ホログラムビームスプリッタ）
３  レンズ
５  絞り
６，１１  対物レンズ（対物単レンズ）
７  基板
８  記録面（情報記録面）
９  光検出器（受光手段）
１０  絞り
２０  枠
２１  レンズ移動手段
３１  レーザ光源
３２  ビームスプリッタ
３３  光検出器（受光手段）
３４  ターレット
３５  軸
Ｓ，Ｒ  分割線
【図１】
0003567406.tif 000010
【図２】
0003567406.tif 000011
【図３】
0003567406.tif 000012
【図４】
0003567406.tif 000013
【図５】
0003567406.tif 000014
【図６】
0003567406.tif 000015
【図７】
0003567406.tif 000016
【図８】
0003567406.tif 000017
【図９】
0003567406.tif 000018
【図１０】
0003567406.tif 000019
【図１１】
0003567406.tif 000020
【図１２】
0003567406.tif 000021
【図１３】
0003567406.tif 000022
【図１４】
0003567406.tif 000023
【図１５】
0003567406.tif 000024
【図１６】
0003567406.tif 000025
【図１７】
0003567406.tif 000026
【図１８】
0003567406.tif 000027